(57)【要約】【課題】従来の撮像装置において、被写体光学像をユーザに視認させる視野領域と各種情報との位置関係は一定である。そのため、被写体の輝度によっては、ユーザが各種情報を視認し難い場合があった。【解決手段】ファインダユニットは、被写体からの光束が結像して成る被写体光学像をユーザに視認させるための第１視野領域に隣接する第２視野領域においてユーザに視認させる情報を表示する情報表示部と、被写体の輝度を検出する検出部と、被写体の輝度に基づいて、第２視野領域における情報の位置を変更する変更部とを備える。【選択図】図３
2013257372.tif 000002
【特許請求の範囲】
【請求項１】
被写体からの光束が結像して成る被写体光学像をユーザに視認させるための第１視野領域に隣接する第２視野領域においてユーザに視認させる情報を表示する情報表示部と、
前記被写体の輝度を検出する検出部と、
前記被写体の輝度に基づいて、前記第２視野領域における前記情報の位置を変更する変更部と
を備えるファインダユニット。
【請求項２】
前記変更部は、前記被写体の輝度が予め定められた閾値以上の場合に、前記第２視野領域における前記情報の位置を前記第１視野領域から遠ざける請求項１に記載のファインダユニット。
【請求項３】
前記変更部は、前記被写体の輝度が予め定められた閾値未満の場合に、前記第２視野領域における前記情報の位置を前記第１視野領域に近づける請求項１または２に記載のファインダユニット。
【請求項４】
前記変更部は、前記第１視野領域が区分された複数の区分領域のうち少なくとも１つの区分領域における前記被写体の輝度に基づいて、前記第２視野領域における前記情報の位置を変更する請求項１から３のいずれか１項に記載のファインダユニット。
【請求項５】
前記変更部は、前記複数の区分領域のうち前記第２視野領域に隣接する隣接区分領域における前記被写体の輝度が予め定められた閾値以上の場合に、前記第２視野領域における前記情報の位置を前記隣接区分領域から遠ざける請求項４に記載のファインダユニット。
【請求項６】
前記変更部は、前記複数の区分領域のうち前記第２視野領域に隣接する隣接区分領域における前記被写体の輝度が予め定められた閾値未満の場合に、前記第２視野領域における前記情報の位置を前記隣接区分領域に近づける請求項４または５に記載のファインダユニット。
【請求項７】
前記変更部は、前記被写体の輝度に基づいて、前記第２視野領域における前記情報の表示サイズを変更する請求項１から６のいずれか１項に記載のファインダユニット。
【請求項８】
前記検出部は、撮像準備指示に同期して、前記被写体の輝度を検出する請求項１から７のいずれか１項に記載のファインダユニット。
【請求項９】
前記変更部は、前記撮像準備指示から予め定められた期間の間、前記被写体の輝度に基づいて、前記第２視野領域における前記情報の位置を変更する請求項８に記載のファインダユニット。
【請求項１０】
請求項１から９のいずれか１項に記載のファインダユニットを備える撮像装置。
【請求項１１】
画像を表示する画像表示領域と、前記画像表示領域と隣接して情報を表示する情報表示領域とを有する表示部と、
前記画像の輝度を取得する取得部と、
前記画像の輝度に基づいて、前記画像表示領域に対する前記情報の位置を変更する変更部と
を備える画像表示装置。
【請求項１２】
前記変更部は、前記画像の輝度に基づいて、前記情報表示領域における前記情報の位置を変更する請求項１１に記載の画像表示装置。
【請求項１３】
前記変更部は、前記画像の輝度に基づいて、前記画像表示領域および前記情報表示領域の少なくとも一方のサイズを変更する請求項１１または１２に記載の画像表示装置。
【請求項１４】
前記変更部は、前記画像の輝度が予め定められた閾値以上の場合に、前記情報の位置を前記画像表示領域から遠ざける請求項１１から１３のいずれか１項に記載の画像表示装置。
【請求項１５】
前記変更部は、前記画像の輝度が予め定められた閾値未満の場合に、前記情報の位置を前記画像表示領域に近づける請求項１１から１４のいずれか１項に記載の画像表示装置。
【請求項１６】
前記変更部は、前記画像表示領域が区分された複数の区分領域のうち少なくとも１つの区分領域における前記画像の輝度に基づいて、前記画像表示領域に対する前記情報の位置を変更する請求項１１から１５のいずれか１項に記載の画像表示装置。
【請求項１７】
前記変更部は、前記複数の区分領域のうち前記情報表示領域に隣接する隣接区分領域における前記画像の輝度が予め定められた閾値以上の場合に、前記情報の位置を前記隣接区分領域から遠ざける請求項１６に記載の画像表示装置。
【請求項１８】
前記変更部は、前記複数の区分領域のうち前記情報表示領域に隣接する隣接区分領域における前記画像の輝度が予め定められた閾値未満の場合に、前記情報の位置を前記隣接区分領域に近づける請求項１６または１７に記載の画像表示装置。
【請求項１９】
前記変更部は、前記画像の輝度に基づいて、前記情報表示領域における前記情報の表示サイズを変更する請求項１１から１８のいずれか１項に記載の画像表示装置。
【請求項２０】
前記取得部は、撮像準備指示に同期して、前記画像の輝度を取得する請求項１１から１９のいずれか１項に記載の画像表示装置。
【請求項２１】
前記変更部は、前記撮像準備指示から予め定められた期間の間、前記画像の輝度に基づいて、前記画像表示領域に対する前記情報の位置を変更する請求項２０に記載の画像表示装置。
【請求項２２】
請求項１１から２１のいずれか１項に記載の画像表示装置を備える撮像装置。
【請求項２３】
被写体からの光束が結像して成る被写体光学像をユーザに視認させるための第１視野領域に隣接する第２視野領域においてユーザに視認させる情報を表示する情報表示部を備えるファインダユニットの表示制御プログラムであって、
前記被写体の輝度を検出する検出ステップと、
前記被写体の輝度に基づいて、前記第２視野領域における前記情報の位置を変更する変更ステップと
をコンピュータに実行させる、ファインダユニットの表示制御プログラム。
【請求項２４】
画像を表示する画像表示領域と、前記画像表示領域と隣接して情報を表示する情報表示領域とを有する表示部を備える画像表示装置の表示制御プログラムであって、
前記画像の輝度を取得する取得ステップと、
前記画像の輝度に基づいて、前記画像表示領域に対する前記情報の位置を変更する変更ステップと
をコンピュータに実行させる、画像表示装置の表示制御プログラム。
【発明の詳細な説明】
【技術分野】
【０００１】
本発明は、ファインダユニット、画像表示装置、撮像装置、ファインダユニットの表示制御プログラムおよび画像表示装置の表示制御プログラムに関する。
【背景技術】
【０００２】
被写体光学像をユーザに視認させる視野領域の近傍に各種情報を表示するファインダユニットを備える撮像装置が知られている。
［先行技術文献］
［特許文献］
［特許文献１］特開平３−１８８３７号公報
【発明の概要】
【発明が解決しようとする課題】
【０００３】
上述の撮像装置において、被写体光学像をユーザに視認させる視野領域と各種情報との位置関係は一定である。そのため、被写体の輝度によっては、ユーザが各種情報を視認し難い場合があった。
【課題を解決するための手段】
【０００４】
本発明の第１の態様におけるファインダユニットは、ファインダユニットは、被写体からの光束が結像して成る被写体光学像をユーザに視認させるための第１視野領域に隣接する第２視野領域においてユーザに視認させる情報を表示する情報表示部と、被写体の輝度を検出する検出部と、被写体の輝度に基づいて、第２視野領域における情報の位置を変更する変更部とを備える。
【０００５】
本発明の第２の態様における撮像装置は、上述のファインダユニットを備える。
【０００６】
本発明の第３の態様における画像表示装置は、画像を表示する画像表示領域と、画像表示領域と隣接して情報を表示する情報表示領域とを有する表示部と、画像の輝度を取得する取得部と、画像の輝度に基づいて、画像表示領域に対する情報の位置を変更する変更部とを備える。
【０００７】
本発明の第４の態様における撮像装置は、上述の画像表示装置を備える。
【０００８】
本発明の第５の態様におけるファインダユニットの制御プログラムは、被写体からの光束が結像して成る被写体光学像をユーザに視認させるための第１視野領域に隣接する第２視野領域においてユーザに視認させる情報を表示する情報表示部を備えるファインダユニットの制御プログラムであって、被写体の輝度を検出する検出ステップと、被写体の輝度に基づいて、第２視野領域における情報の位置を変更する変更ステップとをコンピュータに実行させる。
【０００９】
本発明の第６の態様における画像表示装置の制御プログラムは、画像を表示する画像表示領域と、前記画像表示領域と隣接して情報を表示する情報表示領域とを有する表示部を備える画像表示装置の制御プログラムであって、画像の輝度を取得する取得ステップと、画像の輝度に基づいて、画像表示領域に対する情報の位置を変更する変更ステップとをコンピュータに実行させる。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】本実施形態に係るカメラの要部断面図である。
【図２】本実施形態に係るカメラのシステム構成を概略的に示すブロック図である。
【図３】第１実施形態において被写体が高輝度の場合の表示制御処理を説明する図である。
【図４】第１実施形態において被写体が低輝度の場合の表示制御処理を説明する図である。
【図５】第１実施形態における表示制御処理を示すフロー図である。
【図６】第１実施形態における表示制御処理の第１変形例および第２変形例を説明する図である。
【図７】第１実施形態における表示制御処理の第３変形例を説明する図である。
【図８】第２実施形態における第１表示制御処理を説明する図である。
【図９】第２実施形態における第２表示制御処理を説明する図である。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、本実施形態に係るカメラ１０の要部断面図である。カメラ１０は、レンズユニット２０とカメラ本体３０が組み合わされて使用される。また、カメラ本体３０には、ファインダユニット４０が組み込まれている。レンズユニット２０は、光軸に沿って配列されたレンズ群２１を備える。レンズ群２１は、複数のレンズを含み、入射される被写体光束をカメラ本体３０へ導く。レンズ群２１に含まれる複数のレンズは、焦点調整、画角調整の指示に応じて光軸方向に移動できるように構成されている。レンズユニット２０は、カメラ本体３０との接続部にレンズマウント２２を備え、カメラ本体３０が備えるカメラマウント３１と係合して、カメラ本体３０と一体化する。
【００１４】
カメラ本体３０は、レンズユニット２０から入射される被写体光束を反射するメインミラー３２を備える。メインミラー３２は、回転軸周りに回動して、光軸を中心とする被写体光束中に斜設される斜設状態と、被写体光束から退避する退避状態を取り得る。ファインダユニット４０側へ被写体光束を導く場合には、メインミラー３２は斜設状態を取る。撮像素子５２側へ被写体光束を導く場合には、メインミラー３２は退避状態を取る。
【００１５】
ファインダユニット４０は、ピント板４１、透過型表示部４２、情報表示部４３、三角プリズム４４、ペンタプリズム４５、接眼光学系４６、ファインダ窓４７、測光センサ４８を備える。ピント板４１は、撮像素子５２の受光面と共役の位置に配置されている。ピント板４１で一次結像した被写体光学像は、透過型表示部４２を透過してペンタプリズム４５で正立像に変換される。そして、正立像に変換された被写体光学像は、接眼光学系４６、ファインダ窓４７を介して、ファインダ視野領域の第１視野領域においてユーザに観察される。ペンタプリズム４５の射出面上方に配置された測光センサ４８は、ペンタプリズム４５からの被写体光学像により被写体の輝度分布を検知する。
【００１６】
透過型表示部４２は、高分子分散液晶（ＰＮ液晶）等を備え、ピント板４１に結像された被写体光学像に焦点検出領域等の情報を重畳表示する。情報表示部４３は、液晶パネルと、液晶パネルを照明するバックライトとを備える。三角プリズム４４は、液晶パネルに表示された各種情報の光学像をペンタプリズム４５へ導く。各種情報の光学像は、接眼光学系４６、ファインダ窓４７を介して、上述の第１視野領域と隣接するファインダ視野領域の第２視野領域においてユーザに観察される。なお、液晶パネルは、ドットマトリクスで構成されており、情報表示部４３の表示情報は、液晶パネルの表示領域の範囲において位置が変更可能に構成される。
【００１７】
斜設状態におけるメインミラー３２の光軸の近傍領域は、ハーフミラーとして形成されており、入射される被写体光束の一部が透過する。透過した被写体光束は、メインミラー３２と連動して回動するサブミラー３３で反射されて、ＡＦ光学系３４へ導かれる。ＡＦ光学系３４を通過した被写体光束は、ＡＦセンサ３５へ入射される。ＡＦセンサ３５は、例えば、受光した被写体光束から位相差信号を出力する複数の光電変換素子列である。なお、サブミラー３３は、メインミラー３２が被写体光束から退避する場合は、メインミラー３２に連動して被写体光束から退避する。
【００１８】
斜設されたメインミラー３２の後方には、光軸に沿って、フォーカルプレーンシャッタ５１、撮像素子５２が配列されている。フォーカルプレーンシャッタ５１は、露光時間中は開き、露光時間以外は被写体光束が撮像素子５２に入射しないように閉じる。撮像素子５２は、光学系を透過して入射する被写体光束を光電変換する素子であり、例えば、ＣＣＤ、ＣＭＯＳセンサが用いられる。撮像素子５２で光電変換された電気信号は、メイン基板５３に搭載されたＤＳＰである画像処理部５４で画像データに処理される。メイン基板５３には、画像処理部５４の他に、カメラ本体３０のシステムを統合的に制御するＭＰＵであるカメラシステム制御部５５が搭載されている。カメラシステム制御部５５は、カメラシーケンスを管理すると共に、各構成要素の入出力処理等を行う。
【００１９】
カメラ本体３０の背面には液晶モニタ等による背面表示部５６が配設されており、メイン基板５３上の画像処理部５４で処理された被写体画像が表示される。背面表示部５６は、画像に限らず各種メニュー情報等を表示する。カメラ本体３０には、着脱可能な二次電池５７が収容され、カメラ本体３０に限らず、レンズユニット２０にも電力を供給する。
【００２０】
図２は、本実施形態に係るカメラ１０のシステム構成を概略的に示すブロック図である。カメラ１０は、レンズユニット２０とカメラ本体３０のそれぞれに対応して、レンズシステム制御部１２０を中心とするレンズ制御系と、カメラシステム制御部５５を中心とするカメラ制御系により構成される。そして、レンズ制御系とカメラ制御系は、レンズマウント２２とカメラマウント３１によって接続される接続部を介して、相互に各種データ、制御信号の授受を行う。
【００２１】
レンズ制御系には、レンズメモリ１２１およびモータ駆動回路１２２が含まれる。レンズメモリ１２１は、電気的に消去・記録可能な不揮発性メモリであり、例えばＥＥＰＲＯＭ（登録商標）等により構成される。レンズメモリ１２１は、レンズユニット２０の動作時に必要な定数、変数、プログラム等を、レンズユニット２０の非動作時にも失われないように記録している。レンズシステム制御部１２０は、モータ駆動回路１２２を介して、レンズ群２１に含まれるレンズを移動させるモータを制御する。
【００２２】
カメラ制御系に含まれる画像処理部５４は、カメラシステム制御部５５からの指令に則して、撮像素子５２で光電変換された撮像信号を、ＪＰＥＧ等の規格化された画像フォーマットに従った画像データに処理する。画像処理部５４は、記録用に処理される画像データに並行して、表示用の画像データを生成する。背面表示制御部１３３は、カメラシステム制御部５５の指示に従って、表示用の画像データの画像を背面表示部５６に表示させる。
【００２３】
画像データの記録の有無に関わらず、画像処理部５４が撮像素子の出力に従って逐次表示用画像データを生成して背面表示部５６へ出力すれば、電子ビューファインダとしてのライブビュー機能を実現することができる。背面表示制御部１３３は、カメラシステム制御部５５の指示に従って、逐次表示用画像データを用いて、ライブビュー画像を背面表示部５６に表示させる。背面表示制御部１３３は、ライブビュー画像を表示する画像表示領域に隣接する表示領域に各種情報を表示するように背面表示部５６を制御してもよい。また、背面表示制御部１３３は、カメラシステム制御部５５の指示に従って、カメラ１０に接続された記録媒体の画像データの再生画像、カメラ１０の各種設定に関する様々なメニュー項目等も背面表示部５６に表示させることができる。
【００２４】
カメラメモリ１３１は、電気的に消去・記録可能な不揮発性メモリであり、例えばＥＥＰＲＯＭ（登録商標）等により構成される。カメラメモリ１３１は、カメラ１０の動作時に必要な定数、変数、プログラム等を、カメラ１０の非動作時にも失われないように記録している。また、カメラメモリ１３１は、後述する表示制御処理で用いられる、予め定められた閾値、距離等のデータを記録している。ワークメモリ１３２は、例えばＲＡＭなどの高速アクセスできるメモリであり、処理中の画像データを一時的に保管する役割などを担う。
【００２５】
ファインダ表示制御部１３４は、ファインダユニット４０に設けられたペンタ基板に搭載され、カメラシステム制御部５５の指示に従って透過型表示部４２および情報表示部４３に各種情報を表示させるべく表示制御を実行する。ファインダ表示制御部１３４の表示制御処理の詳細については後述する。操作検知部１３５は、カメラ本体３０に設けられた十字キー、決定ボタン等の操作部材が操作されたことを検知し、検知結果をカメラシステム制御部５５へ出力する。操作部材には、押下げ方向に２段階に検知できる押しボタンで構成されるレリーズボタンが含まれる。カメラシステム制御部５５は、レリーズボタンの１段階目の押下げであるスイッチＳＷ１のオンを検知すると撮影準備動作であるＡＦ、ＡＥ等を実行する。レリーズボタンは、スイッチＳＷ１のオン操作を撮影準備指示として受け付ける。そして、カメラシステム制御部５５は、レリーズボタンの２段階目の押下げであるスイッチＳＷ２のオンを検知すると撮像素子５２による被写体像の取得動作を実行する。
【００２６】
レリーズボタンのスイッチＳＷ１のオン操作が行われると、カメラシステム制御部５５は、レンズシステム制御部１２０と協働して、ＡＦセンサ３５の出力に応じた位相差ＡＦを実行する。また、カメラシステム制御部５５は、測光センサ４８の測光データを解析して適正露出値を算出し、適正露出値および撮影モードに応じてシャッタ速度、絞り値、ＩＳＯ感度を決定する。なお、ライブビュー画像の表示中にレリーズボタンのスイッチＳＷ１のオン操作が行われると、画像処理部５４は、ＡＦ評価値算出用の画像を生成するとともに、ライブビュー画像の輝度を取得する。カメラシステム制御部５５は、画像処理部５４と協働して、コントラストＡＦを実行する。また、カメラシステム制御部５５は、ＡＦ評価値算出用の画像を用いてＡＥを実行して適正露出値を算出し、適正露出値および撮影モードに応じてシャッタ速度、絞り値、ＩＳＯ感度を決定する。
【００２７】
次に、被写体の輝度に応じて、ファインダユニット４０のファインダ窓４７から観察されるファインダ視野の表示を制御する第１実施形態について説明する。第１実施形態において、ファインダ表示制御部１３４は、被写体の輝度に応じて、情報表示部４３に表示された情報のファインダ視野内における位置を変更する変更部としての役割を担う。なお、被写体が高輝度の場合と低輝度の場合に分けて第１実施形態を以下説明する。
【００２８】
図３は、第１実施形態において被写体が高輝度の場合の表示制御処理を説明する図である。図３に示すように、ファインダ視野は、ピント板４１で結像した被写体光学像をユーザに視認させるための第１視野領域２００と、第１視野領域２００の下側に隣接して情報表示部４３に表示された各種情報をユーザに視認させる第２視野領域２１０とで構成される。
【００２９】
上述したように、カメラシステム制御部５５は、レリーズボタンのスイッチＳＷ１のオン操作に応じてＡＦおよびＡＥを実行する。ファインダ表示制御部１３４は、透過型表示部４２を制御して、ＡＦによって合焦された焦点検出領域２０１を第１視野領域２００に表示する。また、ファインダ表示制御部１３４は、情報表示部４３を制御して、ＡＥによって得られたシャッタ速度、絞り値、ＩＳＯ感度を示す情報オブジェクト２１１を第２視野領域２１０に表示する。
【００３０】
被写体が高輝度の場合、第２視野領域２１０の情報オブジェクト２１１が第１視野領域２００に近いと、ユーザは、第１視野領域２００の眩しさによって第２視野領域２１０の情報オブジェクト２１１が示す情報を視認し難くなる。そこで、ファインダ表示制御部１３４は、被写体が高輝度の場合に、第２視野領域２１０における情報オブジェクト２１１の位置を第１視野領域２００から遠ざける。
【００３１】
第１実施形態において、測光センサ４８は、特定の領域を測光する測光モードであっても、被写体全体の輝度分布を検出する。カメラシステム制御部５５は、被写体全体の輝度分布を利用して、被写体全体の輝度を示す第１視野領域２００全体のＥＶ値を算出する。そして、カメラシステム制御部５５は、第１視野領域２００全体のＥＶ値が第１閾値以上の場合には被写体が高輝度であると判断する。第１閾値は、ユーザが第２視野領域２１０の情報を視認し難くなる場合の第１視野領域２００全体のＥＶ値の下限値であり、例えば１２である。
【００３２】
図３の例において、ユーザは、カメラ１０を用いて、青空と白い壁を有する家を被写体として撮影する。当該場面において、太陽光が家の白い壁で反射し、白い壁の領域の輝度が高くなっている。図３（ａ）は、青空が占める割合が大きくて被写体が高輝度でない場合のファインダ視野を示す。この場合、ファインダ表示制御部１３４は、情報オブジェクト２１１を第２視野領域２１０の中央部に配置する。図３（ａ）に示すように、情報オブジェクト２１１の上端は、第１視野領域２００の下端から下方向へ距離ｄ０離れて配置され、かつ情報オブジェクト２１１の左端は、ファインダ視野の左端から右方向へ距離Ｄ０離れて配置される。距離ｄ０および距離Ｄ０は、予め規定されている。第１実施形態において、第２視野領域２１０における情報オブジェクト２１１の図３（ａ）に示す位置を標準位置と称する。
【００３３】
図３（ｂ）は、家の白い壁が占める割合が大きくて被写体が高輝度の場合のファインダ視野を示す。この場合、ファインダ表示制御部１３４は、情報オブジェクト２１１を第２視野領域２１０の下部に配置する。図３（ｂ）に示すように、情報オブジェクト２１１の上端は、第１視野領域２００の下端から下方向へ距離ｄ１離れて配置され、かつ情報オブジェクト２１１の左端は、ファインダ視野の左端から右方向へ距離Ｄ０離れて配置される。距離ｄ１は、距離ｄ０より大きい値であり、予め規定されている。第１実施形態において、第２視野領域２１０における情報オブジェクト２１１の図３（ｂ）に示す位置を遠方位置と称する。
【００３４】
このように、ファインダ表示制御部１３４は、被写体が高輝度の場合、被写体が高輝度でない場合に比べて、情報オブジェクト２１１を第１視野領域２００から距離（ｄ１−ｄ０）遠ざける。したがって、ユーザは、第１視野領域２００が眩しくても、情報オブジェクト２１１が示す情報を視認することができる。一方、被写体が高輝度でない場合すなわち第１視野領域２００が眩しくない場合には情報オブジェクト２１１が第１視野領域２００に近づく。したがって、ユーザは、第１視野領域２００の被写体および第２視野領域２１０の情報オブジェクト２１１が示す情報の双方を容易に確認できる。
【００３５】
図３（ｂ）の例では、ファインダ表示制御部１３４は、第１視野領域２００全体における被写体の輝度を対象として表示制御を実行した。しかしながら、第１視野領域２００全体における被写体の輝度が高くなくても、第１視野領域２００の一部における被写体が高輝度の場合に、ユーザは、第１視野領域２００近傍の第２視野領域２１０を視認し難くなる場合がある。そこで、ファインダ表示制御部１３４は、第１視野領域２００が区分された複数の区分領域のうちの特定の区分領域における被写体の輝度を対象として表示制御を実行してもよい。
【００３６】
例えば、カメラシステム制御部５５は、第１視野領域２００が区分された複数の区分領域のうち第２視野領域２１０に隣接する隣接区分領域における被写体の輝度分布を利用して、隣接区分領域における被写体の輝度を示す隣接区分領域のＥＶ値を算出する。そして、カメラシステム制御部５５は、隣接区分領域のＥＶ値が第２閾値以上の場合には隣接区分領域における被写体が高輝度であると判断する。第２閾値は、ユーザが第２視野領域２１０の情報を視認し難くなる場合の隣接区分領域のＥＶ値の下限値であり、例えば第１閾値と同一の１２である。なお、第２閾値は、第１閾値より大きい値であってもよい。そして、ファインダ表示制御部１３４は、隣接区分領域における被写体が高輝度の場合に、第２視野領域２１０における情報オブジェクト２１１の位置を隣接区分領域から遠ざける。
【００３７】
図３（ｃ）は、青空と家の白い壁が占める割合が同じぐらいで被写体全体は高輝度でないが、家の白い壁の領域が高輝度の場合のファインダ視野を示す。第１視野領域２００が上下方向に３等分された３つの区分領域のうち、第２視野領域２１０に隣接する下側区分領域２０２における被写体が高輝度である。この場合、ファインダ表示制御部１３４は、図３（ｂ）の場合と同様に、情報オブジェクト２１１を第２視野領域２１０の下部に配置する。図３（ｃ）に示すように、情報オブジェクト２１１の上端は、第１視野領域２００の下端から下方向へ距離ｄ１離れて配置され、かつ情報オブジェクト２１１の左端は、ファインダ視野の左端から右方向へ距離Ｄ０離れて配置される。
【００３８】
このように、ファインダ表示制御部１３４は、第１視野領域２００全体における被写体の輝度が高くなくても、隣接区分領域における被写体が高輝度の場合に、情報オブジェクト２１１を第１視野領域２００から距離（ｄ１−ｄ０）遠ざける。したがって、ユーザは、第２視野領域２１０近傍の第１視野領域２００の一部が眩しくても、情報オブジェクト２１１が示す情報を視認することができる。
【００３９】
図４は、第１実施形態において被写体が低輝度の場合の表示制御処理を説明する図である。第２視野領域２１０の情報オブジェクト２１１が第１視野領域２００に近いほど、ユーザは、第１視野領域２００の被写体および第２視野領域２１０の情報オブジェクト２１１が示す情報の双方を容易に確認できる。そこで、ファインダ表示制御部１３４は、被写体が低輝度の場合に、第２視野領域２１０における情報オブジェクト２１１の位置を第１視野領域２００に近づける。
【００４０】
カメラシステム制御部５５は、上述したように第１視野領域２００全体のＥＶ値を算出し、第１視野領域２００全体のＥＶ値が第３閾値未満の場合には被写体が低輝度であると判断する。第３閾値は、ユーザが第１視野領域２００近傍の第２視野領域２１０の情報を視認できる場合の第１視野領域２００全体のＥＶ値の上限値であり、例えば２である。なお、第３閾値は、図３を用いて説明した上述の第１閾値および第２閾値より小さい値である。
【００４１】
図４の例において、ユーザは、カメラ１０を用いて、青空と黒い壁を有する家を被写体として撮影する。当該場面において、家の黒い壁が日陰となり、黒い壁の領域の輝度が低くなっている。図４（ａ）は、青空が占める割合が大きくて被写体が低輝度でない場合のファインダ視野を示す。この場合、ファインダ表示制御部１３４は、情報オブジェクト２１１を、図３（ａ）の場合と同じ位置に配置する。
【００４２】
図４（ｂ）は、家の黒い壁が占める割合が大きくて被写体が低輝度の場合のファインダ視野を示す。この場合、ファインダ表示制御部１３４は、情報オブジェクト２１１を第２視野領域２１０の上部に配置する。図４（ｂ）に示すように、情報オブジェクト２１１の上端は、第１視野領域２００の下端から下方向へ距離ｄ２離れて配置され、かつ情報オブジェクト２１１の左端は、ファインダ視野の左端から右方向へ距離Ｄ０離れて配置される。距離ｄ２は、距離ｄ０より小さい値であり、予め規定されている。第１実施形態において、第２視野領域２１０における情報オブジェクト２１１の図４（ｂ）に示す位置を近傍位置と称する。
【００４３】
このように、ファインダ表示制御部１３４は、被写体が低輝度の場合、被写体が低輝度でない場合に比べて、情報オブジェクト２１１を第１視野領域２００から距離（ｄ０−ｄ２）近づける。したがって、ユーザは、視線の大きな移動を伴うことなく、ほぼ同一の視野の内に第１視野領域２００の被写体および第２視野領域２１０の情報オブジェクト２１１が示す情報の双方を容易に確認できる。
【００４４】
図４（ｂ）の例では、ファインダ表示制御部１３４は、第１視野領域２００全体における被写体の輝度を対象として表示制御を実行した。しかしながら、第１視野領域２００全体における被写体の輝度が低くなくても、第１視野領域２００の一部における被写体が低輝度の場合に、ユーザは、第１視野領域２００近傍の第２視野領域２１０の情報を視認できる場合がある。そこで、ファインダ表示制御部１３４は、第１視野領域２００が区分された複数の区分領域のうちの特定の区分領域における被写体の輝度を対象として表示制御を実行してもよい。
【００４５】
カメラシステム制御部５５は、上述したように隣接区分領域のＥＶ値を算出し、隣接区分領域のＥＶ値が第４閾値未満の場合には隣接区分領域における被写体が低輝度であると判断する。第４閾値は、ユーザが第２視野領域２１０の情報を視認できる場合の隣接区分領域のＥＶ値の上限値であり、例えば第３閾値と同一の２である。なお、第４閾値は、第３閾値より小さい値であってもよい。そして、ファインダ表示制御部１３４は、隣接区分領域における被写体が低輝度の場合に、第２視野領域２１０における情報オブジェクト２１１の位置を隣接区分領域に近づける。
【００４６】
図４（ｃ）は、青空と家の黒い壁が占める割合が同じぐらいで被写体全体は低輝度でないが、家の黒い壁の領域が低輝度の場合のファインダ視野を示す。第１視野領域２００が上下方向に３等分された３つの区分領域のうち、第２視野領域２１０に隣接する下側区分領域２０２における被写体が低輝度である。この場合、ファインダ表示制御部１３４は、図４（ｂ）の場合と同様に、情報オブジェクト２１１を第２視野領域２１０の上部に配置する。図４（ｃ）に示すように、情報オブジェクト２１１の上端は、第１視野領域２００の下端から下方向へ距離ｄ２離れて配置され、かつ情報オブジェクト２１１の左端は、ファインダ視野の左端から右方向へ距離Ｄ０離れて配置される。
【００４７】
このように、ファインダ表示制御部１３４は、第１視野領域２００全体における被写体の輝度が低くなくても、隣接区分領域における被写体が低輝度の場合に、情報オブジェクト２１１を第１視野領域２００から距離（ｄ０−ｄ２）近づける。したがって、ユーザは、視線の大きな移動を伴うことなく、ほぼ同一の視野の内に第１視野領域２００の被写体および第２視野領域２１０の情報オブジェクト２１１が示す情報の双方を容易に確認できる。
【００４８】
図５は、第１実施形態における表示制御処理を示すフロー図である。本フローは、カメラシステム制御部５５がカメラ１０の電源のオン操作を検知した時点から開始される。ステップＳ１０１では、カメラシステム制御部５５は、レリーズボタンのスイッチＳＷ１がオン操作されたか否かを判断する。カメラシステム制御部５５は、スイッチＳＷ１がオン操作されていない場合にはステップＳ１１４へ移行し、スイッチＳＷ１がオン操作された場合にはステップＳ１０２へ移行する。ステップＳ１０２では、カメラシステム制御部５５は、内蔵するタイマーｔを０に初期化し、タイマーｔの計測を開始する。
【００４９】
ステップＳ１０３では、測光センサ４８は、上述したように被写体の輝度を検出し、測光データをカメラシステム制御部５５へ出力する。ステップＳ１０４では、カメラシステム制御部５５は、図３を用いて説明したように、測光データを用いて、被写体光学像が観察される第１視野領域の全体における被写体の輝度が高輝度であるか否かを判断する。カメラシステム制御部５５は、第１視野領域の全体における被写体の輝度が高輝度であると判断した場合にはステップＳ１０９へ移行し、第１視野領域の全体における被写体の輝度が高輝度でないと判断した場合にはステップＳ１０５へ移行する。
【００５０】
ステップＳ１０５では、カメラシステム制御部５５は、図３を用いて説明したように、測光データを用いて、被写体光学像が観察される第１視野領域のうちの隣接区分領域における被写体の輝度が高輝度であるか否かを判断する。カメラシステム制御部５５は、隣接区分領域における被写体の輝度が高輝度であると判断した場合にはステップＳ１０９へ移行し、隣接区分領域における被写体の輝度が高輝度でないと判断した場合にはステップＳ１０６へ移行する。
【００５１】
ステップＳ１０６では、カメラシステム制御部５５は、図３を用いて説明したように、測光データを用いて、被写体光学像が観察される第１視野領域の全体における被写体の輝度が低輝度であるか否かを判断する。カメラシステム制御部５５は、第１視野領域の全体における被写体の輝度が低輝度であると判断した場合にはステップＳ１１０へ移行し、第１視野領域の全体における被写体の輝度が低輝度でないと判断した場合にはステップＳ１０７へ移行する。
【００５２】
ステップＳ１０７では、カメラシステム制御部５５は、図３を用いて説明したように、測光データを用いて、被写体光学像が観察される第１視野領域のうちの隣接区分領域における被写体の輝度が低輝度であるか否かを判断する。カメラシステム制御部５５は、隣接区分領域における被写体の輝度が低輝度であると判断した場合にはステップＳ１１０へ移行し、隣接区分領域における被写体の輝度が低輝度でないと判断した場合にはステップＳ１０８へ移行する。
【００５３】
ステップＳ１０８では、ファインダ表示制御部１３４は、図３（ａ）および図４（ａ）を用いて説明したように、第２視野領域において情報が標準位置に配置されるように情報表示部４３の表示を制御する。ステップＳ１０９では、ファインダ表示制御部１３４は、図３（ｂ）および図３（ｃ）を用いて説明したように、第２視野領域において情報が遠方位置に配置されるように情報表示部４３の表示を制御する。ステップＳ１１０では、ファインダ表示制御部１３４は、図４（ｂ）および図４（ｃ）を用いて説明したように、第２視野領域において情報が近傍位置に配置されるように情報表示部４３の表示を制御する。
【００５４】
ステップＳ１１１では、カメラシステム制御部５５は、レリーズボタンのスイッチＳＷ２がオン操作されたか否かを判断する。カメラシステム制御部５５は、スイッチＳＷ２がオン操作されていない場合にはステップＳ１１２へ移行し、スイッチＳＷ２がオン操作された場合にはステップＳ１１３へ移行する。ステップＳ１１２では、カメラシステム制御部５５は、現時点のタイマーｔが予め定められた閾値ｔ０より大きいか否かを判断する。閾値ｔ０は、例えば８秒と規定されている。カメラシステム制御部５５は、タイマーｔが閾値ｔ０より大きい場合には、ステップＳ１１３へ移行し、タイマーｔが閾値ｔ０以内の場合にはステップＳ１０３へ戻る。このように、ファインダ表示制御部１３４は、撮像準備指示であるスイッチＳＷ１のオン操作が行われてから予め定められた期間ｔ０の間、被写体の輝度に応じて、第２視野領域における情報の位置を変更する。
【００５５】
ステップＳ１１３では、ファインダ表示制御部１３４は、情報表示部４３に表示されている情報を消去し、第２視野領域を非表示状態にする。ステップＳ１１４では、カメラシステム制御部５５は、カメラ１０の電源のオフ操作が行われたか否かを判断する。カメラシステム制御部５５は、カメラ１０の電源のオフ操作が行われてない場合にはステップＳ１０１へ戻り、カメラ１０の電源のオフ操作が行われた場合には本フローを終了する。
【００５６】
第１実施形態では、ファインダ表示制御部１３４は、被写体全体の輝度および隣接区分領域における被写体の輝度を用いて情報表示部４３の表示を制御したが、これに限らない。ファインダ表示制御部１３４は、被写体全体の輝度および隣接区分領域における被写体の輝度のいずれか一方を用いて情報表示部４３の表示を制御してもよい。また、ファインダ表示制御部１３４は、第１視野領域２００を区分した複数の区分領域のうちの隣接区分領域を含む２以上の区分領域を用いて情報表示部４３の表示を制御してもよい。
【００５７】
第１実施形態において、第２視野領域２１０は、第１視野領域の下側に隣接して配置されたが、配置位置はこれに限らない。第２視野領域２１０は、第１視野領域の上側、左側および右側のいずれに隣接して配置されてもよい。また、第１実施形態において、情報表示部４３の液晶パネルは、ドットマトリクスで構成されたが、セグメントで構成されてもよい。具体的には、情報表示部４３の液晶パネルにおいて、上述の標準位置に対応する情報オブジェクトを表示するためのセグメント、上述の遠方位置に対応する情報オブジェクトを表示するためのセグメントおよび上述の近傍位置に対応する情報オブジェクトを表示するためのセグメントが予め設けられる。
【００５８】
第１実施形態において、ファインダ表示制御部１３４が情報表示部４３の表示を制御して第２視野領域２１０における情報オブジェクト２１１の位置を変更したが、これに限らない。例えば、情報表示部４３の液晶パネルおよびバックライトの位置または角度を変更する駆動装置がファインダユニット４０内に設けられる。そして、情報表示部４３の情報の表示位置はそのままで当該駆動装置が液晶パネルおよびバックライトの位置または角度を変更することにより、第２視野領域２１０における情報オブジェクト２１１の位置が変更される。この場合、情報表示部４３の液晶パネルおよびバックライトの位置または角度を変更する駆動装置が、情報表示部４３に表示された情報のファインダ視野内における位置を変更する変更部としての役割を担う。
【００５９】
また、三角プリズム４４の位置または角度を変更する駆動装置がファインダユニット４０内に設けられてもよい。そして、情報表示部４３の情報の表示位置はそのままで当該駆動装置が三角プリズム４４の位置または角度を変更することにより、第２視野領域２１０における情報オブジェクト２１１の位置が変更される。この場合、三角プリズム４４の位置または角度を変更する駆動装置が、情報表示部４３に表示された情報のファインダ視野内における位置を変更する変更部としての役割を担う。
【００６０】
次に、第１実施形態における変形例について説明する。図６は、第１実施形態における表示制御処理の第１変形例および第２変形例を説明する図である。図６は、情報オブジェクト２１１の遠方位置の変形例を示す。なお、図６において、情報オブジェクト２１１の標準位置は、上述の図３（ａ）で示した位置である。
【００６１】
図６（ａ）は、第１実施形態における表示制御処理の第１変形例を示す。第１変形例では、ファインダ表示制御部１３４は、被写体の輝度に応じて、第２視野領域２１０における情報オブジェクト２１１の表示サイズを変更する。具体的には、被写体が高輝度の場合、ファインダ表示制御部１３４は、情報オブジェクト２１１を第２視野領域２１０の下部に配置するとともに情報オブジェクト２１１を小さくする。図６（ａ）に示すように、情報オブジェクト２１１の上端は、第１視野領域２００の下端から下方向へ距離ｄ３離れて配置され、かつ情報オブジェクト２１１の左端は、ファインダ視野の左端から右方向へ距離Ｄ１離れて配置される。
【００６２】
情報オブジェクト２１１を小さくすることにより、距離ｄ３は上述した距離ｄ０および距離ｄ１より大きい値となり、距離Ｄ１は距離Ｄ０より大きい値となる。なお、距離ｄ３および距離Ｄ１は、予め規定されている。なお、図６（ａ）の場合における情報オブジェクト２１１の表示サイズは、情報オブジェクト２１１が示す情報をユーザが視認できる場合の下限のサイズであり、実験的に予め算出された値である。このように、ファインダ表示制御部１３４は、被写体が高輝度の場合、被写体が高輝度でない場合に比べて、情報オブジェクト２１１の表示サイズを小さくする。したがって、被写体が高輝度の場合において、情報オブジェクト２１１の表示サイズを変更しない場合に比べ、情報オブジェクト２１１を第１視野領域２００からより遠ざけることができる。
【００６３】
図６（ｂ）は、第１実施形態における表示制御処理の第２変形例を示す。第２変形例では、ファインダ表示制御部１３４は、被写体の輝度に応じて、第２視野領域２１０における情報オブジェクト２１１の左右方向の位置を変更する。図６（ｂ）は、青空と家の白い壁が占める割合が同じぐらいで被写体全体は高輝度でないが、第１視野領域２００の左下側における家の白い壁で太陽光が反射し、当該白い壁の領域が高輝度の場合のファインダ視野を示す。この場合、第１視野領域２００が上下方向に３等分され、かつ左右方向に３等分された９つの区分領域のうち、左下側区分領域２０３における被写体が高輝度である。なお、隣接区分領域における被写体が高輝度であるか否かの判断は、図３（ｃ）の場合と同様に、第２閾値を用いて行われる。
【００６４】
そして、ファインダ表示制御部１３４は、隣接区分領域における被写体が高輝度の場合に、第２視野領域２１０における情報オブジェクト２１１の位置を隣接区分領域から遠ざける。図６（ｂ）の場合、ファインダ表示制御部１３４は、情報オブジェクト２１１を第２視野領域２１０の右下部に配置する。図６（ｂ）に示すように、情報オブジェクト２１１の上端は、第１視野領域２００の下端から下方向へ距離ｄ１離れて配置され、かつ情報オブジェクト２１１の左端は、ファインダ視野の左端から右方向へ距離Ｄ２離れて配置される。距離Ｄ２は、上述した距離Ｄ０より大きい値であり、予め規定されている。
【００６５】
このように、ファインダ表示制御部１３４は、左右方向において被写体の輝度が大きく変化している場合、情報オブジェクト２１１の左右方向の位置を変更する。したがって、情報オブジェクト２１１を第１視野領域２００における高輝度の領域からより遠ざけることができる。
【００６６】
図７は、第１実施形態における表示制御処理の第３変形例を説明する図である。第３変形例において、ファインダユニット４０内に情報表示部４３と同様の構成を備える情報表示部がもう１つ設けられ、ファインダ視野内に情報をユーザに視認させる領域が２箇所形成される。図７に示すように、第３変形例におけるファインダ視野は、上述した第１視野領域２００および第２視野領域２１０と、第１視野領域２００の右側に隣接して別の情報表示部に表示された各種情報をユーザに視認させる第３視野領域２２０とで構成される。第３変形例において、第２視野領域２１０は、第３視野領域２２０より大きく設定されている。
【００６７】
第３変形例では、ファインダ表示制御部１３４は、被写体の輝度に応じて、第２視野領域２１０の表示内容と第３視野領域２２０の表示内容とを入れ替える。被写体が高輝度でない場合、ファインダ表示制御部１３４は、図７（ａ）に示すように、上述の焦点検出領域２０１および情報オブジェクト２１１をそれぞれ第１視野領域２００および第２視野領域２１０に表示する。また、ファインダ表示制御部１３４は、適正露出値を補正する露出補正値を示す情報オブジェクト２２１を第３視野領域２２０に表示する。
【００６８】
第３変形例において、ファインダ表示制御部１３４は、情報オブジェクト２１１が示す情報を情報オブジェクト２２１が示す情報より優先する。そして、ファインダ表示制御部１３４は、被写体が高輝度でない場合に、第３視野領域２２０より大きい第２視野領域２１０に優先すべき情報オブジェクト２１１が示す情報を配置する。したがって、情報オブジェクト２１１を情報オブジェクト２２１より大きく表示することができ、ユーザは、情報オブジェクト２１１が示す情報を視認し易くなる。
【００６９】
図７（ｂ）は、図３（ｃ）の場面に対応する。すなわち、図７（ｂ）は、下側区分領域２０２における被写体が高輝度の場合のファインダ視野を示す。この場合、ファインダ表示制御部１３４は、情報オブジェクト２１１と情報オブジェクト２２１とを入れ替える。すなわち、ファインダ表示制御部１３４は、情報オブジェクト２１１を第３視野領域２２０に表示するとともに、情報オブジェクト２２１を第２視野領域２１０に表示させる。このように、情報オブジェクト２１１は、第２視野領域２１０に表示される場合よりも下側区分領域２０２から離れて配置される。したがって、ユーザは、優先すべき情報オブジェクト２１１の情報を視認し易くなる。
【００７０】
第３変形例において、ファインダ表示制御部１３４は、第２視野領域２１０および第３視野領域２２０のサイズに応じて、情報オブジェクト２１１および情報オブジェクト２２１の表示サイズを変更してもよい。例えば、ファインダ表示制御部１３４は、第３視野領域２２０における情報オブジェクト２１１を、第２視野領域２１０に表示される場合よりも小さくする。
【００７１】
第３変形例において、第３視野領域２２０は、第１視野領域２００の右側に隣接して配置されたが、配置位置はこれに限らない。第３視野領域２２０は、第２視野領域２１０と異なる箇所において、第１視野領域２００に隣接して配置されればよい。また、第３変形例において、カメラシステム制御部５５は、第２視野領域２１０の表示内容と第３視野領域２２０の表示内容とを入れ替え処理を実行するか否かの設定をユーザから受け付けてもよい。
【００７２】
次に、ライブビュー画像を表示して電子ビューファインダとして機能する背面表示部５６の表示を、画像の輝度に応じて制御する第２実施形態について説明する。第２実施形態では、背面表示部５６の一枚の表示パネルに、画像処理部５４が処理したライブビュー画像を表示する画像表示領域と情報を表示する情報表示領域とが、二分されて表示される。第２実施形態において、画像処理部５４は、ライブビュー画像の輝度を取得する取得部としての役割を担う。また、背面表示制御部１３３は、ライブビュー画像の輝度に応じて、画像表示領域に隣接する情報表示領域の情報の位置を、画像表示領域に対して変更する変更部としての役割を担う。なお、画像表示領域に対する情報表示領域の情報の位置を変更する２つの表示制御方法に分けて第２実施形態を以下説明する。
【００７３】
図８は、第２実施形態における背面表示部の第１表示制御処理を説明する図である。図８に示すように、背面表示部５６の表示領域は、ライブビュー画像を表示する画像表示領域３００と、画像表示領域３００と隣接して情報を表示する情報表示領域３１０とで構成される。
【００７４】
上述したように、カメラシステム制御部５５は、ライブビュー画像の表示中にレリーズボタンのスイッチＳＷ１のオン操作が行われると、画像処理部５４と協働して、コントラストＡＦおよびＡＥを実行する。背面表示制御部１３３は、背面表示部５６を制御して、ＡＦによって合焦された焦点検出領域３０１を画像表示領域３００に重畳表示する。また、背面表示制御部１３３は、背面表示部５６を制御して、ＡＥによって得られたシャッタ速度、絞り値、ＩＳＯ感度の値を示す情報オブジェクト３１１を情報表示領域３１０に表示する。また、画像処理部５４は、レリーズボタンのスイッチＳＷ１のオン操作に同期してライブビュー画像の輝度を取得する。
【００７５】
背面表示制御部１３３は、第１表示制御処理として、上述した第１実施形態と同様に、ライブビュー画像の輝度に応じて、情報表示領域３１０における情報オブジェクト３１１の位置を変更する。具体的には、背面表示制御部１３３は、ライブビュー画像が高輝度の場合に、情報表示領域３１０における情報オブジェクト３１１の位置を画像表示領域３００から遠ざける。また、背面表示制御部１３３は、ライブビュー画像が低輝度の場合に、情報表示領域３１０における情報オブジェクト３１１の位置を画像表示領域３００に近づける。
【００７６】
第２実施形態において、画像処理部５４は、画像表示領域３００全体の輝度ヒストグラムを取得する。カメラシステム制御部５５は、画像表示領域３００全体の輝度ヒストグラムを利用して演算した輝度評価値を、ライブビュー画像全体の輝度として算出する。そして、カメラシステム制御部５５は、画像表示領域３００全体の輝度評価値が第５閾値以上の場合にはライブビュー画像全体が高輝度であると判断する。第５閾値は、ユーザが情報表示領域３１０の情報を視認し難くなる場合の画像表示領域３００全体の輝度評価値の下限値であり、実験的に予め規定された値である。また、カメラシステム制御部５５は、画像表示領域３００全体の輝度評価値が第６閾値未満の場合にはライブビュー画像全体が低輝度であると判断する。第６閾値は、ユーザが情報表示領域３１０の情報を視認できる場合の画像表示領域３００全体の輝度評価値の上限値であり、実験的に予め規定された値である。
【００７７】
図８（ａ）は、図３（ａ）の場面に相当し、青空が占める割合が大きくてライブビュー画像が高輝度でない場合の背面表示部５６の表示領域を示す。この場合、背面表示制御部１３３は、情報オブジェクト３１１を情報表示領域３１０の中央部に配置する。図８（ａ）に示すように、情報オブジェクト３１１の上端は、画像表示領域３００の下端から下方向へ距離ｄ１０離れて配置され、かつ情報オブジェクト３１１の左端は、背面表示部５６の表示領域の左端から右方向へ距離Ｄ１０離れて配置される。距離ｄ１０および距離Ｄ１０は、予め規定されている。第１表示制御処理において、情報表示領域３１０における情報オブジェクト３１１の図８（ａ）に示す位置を標準位置と称する。
【００７８】
図８（ｂ）は、図３（ｂ）の場面に相当し、家の白い壁が占める割合が大きくてライブビュー画像が高輝度の場合の背面表示部５６の表示領域を示す。この場合、背面表示制御部１３３は、情報オブジェクト３１１を情報表示領域３１０の下部に配置する。図８（ｂ）に示すように、情報オブジェクト３１１の上端は、画像表示領域３００の下端から下方向へ距離ｄ１１離れて配置され、かつ情報オブジェクト３１１の左端は、ファインダ視野の左端から右方向へ距離Ｄ１０離れて配置される。距離ｄ１１は、距離ｄ１０より大きい値であり、予め規定されている。第１表示制御処理において、情報表示領域３１０における情報オブジェクト３１１の図８（ｂ）に示す位置を遠方位置と称する。
【００７９】
図３（ｃ）の場面における第１実施形態の表示制御処理と同様に、背面表示制御部１３３は、画像表示領域３００が区分された複数の区分領域のうちの特定の区分領域におけるライブビュー画像の輝度を対象として表示制御を実行してもよい。例えば、カメラシステム制御部５５は、複数の区分領域のうち情報表示領域３１０に隣接する隣接区分領域の輝度ヒストグラムを利用して演算した輝度評価値を、隣接区分領域におけるライブビュー画像全体の輝度として算出する。そして、カメラシステム制御部５５は、隣接区分領域の輝度評価値が第７閾値以上の場合には隣接区分領域におけるライブビュー画像が高輝度であると判断する。第７閾値は、ユーザが情報表示領域３１０の情報を視認し難くなる場合の隣接区分領域の輝度評価値の下限値であり、例えば第５閾値と同一の値である。なお、第７閾値は、第５閾値より大きい値であってもよい。そして、背面表示制御部１３３は、隣接区分領域におけるライブビュー画像が高輝度の場合に、情報表示領域３１０における情報オブジェクト３１１の位置を隣接区分領域から遠ざける。
【００８０】
図８（ｃ）は、図４（ｂ）の場面に相当し、家の黒い壁が占める割合が大きくて被写体が低輝度の場合の背面表示部５６の表示領域を示す。この場合、背面表示制御部１３３は、情報オブジェクト３１１を情報表示領域３１０の上部に配置する。図８（ｃ）に示すように、情報オブジェクト３１１の上端は、画像表示領域３００の下端から下方向へ距離ｄ１２離れて配置され、かつ情報オブジェクト３１１の左端は、ファインダ視野の左端から右方向へ距離Ｄ１０離れて配置される。距離ｄ１２は、距離ｄ１０より小さい値であり、予め規定されている。第１表示制御処理において、情報表示領域３１０における情報オブジェクト３１１の図８（ｃ）に示す位置を近傍位置と称する。
【００８１】
図４（ｃ）の場面における第１実施形態の表示制御処理と同様に、背面表示制御部１３３は、画像表示領域３００が区分された複数の区分領域のうちの特定の区分領域における画像の輝度を対象として表示制御を実行してもよい。例えば、カメラシステム制御部５５は、複数の区分領域のうち情報表示領域３１０に隣接する隣接区分領域の輝度ヒストグラムを利用して演算した輝度評価値を、隣接区分領域におけるライブビュー画像全体の輝度として算出する。そして、カメラシステム制御部５５は、隣接区分領域の輝度評価値が第８閾値未満の場合には隣接区分領域におけるライブビュー画像が高輝度であると判断する。第８閾値は、ユーザが情報表示領域３１０の情報を視認できる場合の隣接区分領域の輝度評価値の上限値であり、例えば第６閾値と同一の値である。なお、第８閾値は、第６閾値より大きい値であってもよい。そして、背面表示制御部１３３は、隣接区分領域におけるライブビュー画像が低輝度の場合に、情報表示領域３１０における情報オブジェクト３１１の位置を隣接区分領域に近づける。
【００８２】
第２実施形態における第１表示制御処理によれば、第１実施形態と同様に、ユーザは、画像表示領域３００の全体若しくは一部が眩しくても、情報オブジェクト３１１が示す情報を視認することができる。一方、画像が低輝度の場合には、ユーザは、視線の大きな移動を伴うことなく、ほぼ同一の視野の内に画像表示領域３００の被写体および情報表示領域３１０の情報オブジェクト３１１が示す情報の双方を容易に確認できる。
【００８３】
図９は、第２実施形態における背面表示部の第２表示制御処理を説明する図である。背面表示制御部１３３は、第２表示制御処理として、ライブビュー画像の輝度に応じて、画像表示領域３００および情報表示領域３１０の少なくとも一方のサイズを変更する。具体的には、背面表示制御部１３３は、画像が高輝度の場合に、情報表示領域３１０を大きくして情報オブジェクト３１１の位置を画像表示領域３００から遠ざける。また、背面表示制御部１３３は、画像が低輝度の場合に、情報表示領域３１０を小さくして情報オブジェクト３１１の位置を画像表示領域３００に近づける。
【００８４】
図９（ａ）は、図３（ａ）の場面に相当し、青空が占める割合が大きくてライブビュー画像が高輝度でない場合の背面表示部５６の表示領域を示す。この場合、背面表示制御部１３３は、情報オブジェクト３１１を、図８（ａ）の場合と同じ位置に配置する。なお、情報オブジェクト３１１の下端から背面表示部５６の表示領域の下端までの距離をｄ１３、画像表示領域３００の上下方向の幅をｄＲ０、情報表示領域３１０の上下方向の幅をｄｒ０とする。第２表示制御処理において、情報表示領域３１０における情報オブジェクト３１１の図９（ａ）に示す位置を標準位置と称する。
【００８５】
図９（ｂ）は、図３（ｂ）の場面に相当し、家の白い壁が占める割合が大きくてライブビュー画像が高輝度の場合の背面表示部５６の表示領域を示す。この場合、背面表示制御部１３３は、画像表示領域の上下方向の幅をｄＲ１、情報表示領域３１０の上下方向の幅をｄｒ１に設定する。背面表示制御部１３３は、情報オブジェクト３１１の下端から背面表示部５６の表示領域の下端までの距離をｄ１３に維持する。第２表示制御処理において、情報表示領域３１０における情報オブジェクト３１１の図９（ｂ）に示す位置を遠方位置と称する。
【００８６】
図９（ｂ）に示すように、情報オブジェクト３１１の上端は、画像表示領域３００の下端から下方向へ距離ｄ１１離れて配置され、かつ情報オブジェクト３１１の左端は、ファインダ視野の左端から右方向へ距離Ｄ１０離れて配置される。距離ｄ１１は、距離ｄ１０より大きい値である。このように、背面表示制御部１３３は、情報表示領域３１０を大きくし、かつ画像表示領域３００を小さくして情報オブジェクト３１１の位置を画像表示領域３００から遠ざける。なお、背面表示制御部１３３は、画像表示領域３００の左端部および右端部に黒色の領域を表示して、画像表示領域３００に表示されるライブビュー画像の視野率を１００％に維持してもよい。
【００８７】
図３（ｃ）の場面における第１実施形態の表示制御処理と同様に、背面表示制御部１３３は、画像表示領域３００が区分された複数の区分領域のうちの特定の区分領域における画像の輝度を対象として表示制御を実行してもよい。例えば、背面表示制御部１３３は、隣接区分領域におけるライブビュー画像が高輝度の場合に、情報表示領域３１０を大きくし、かつ画像表示領域３００を小さくして情報オブジェクト３１１の位置を画像表示領域３００から遠ざける。
【００８８】
図９（ｃ）は、図４（ｂ）の場面に相当し、家の黒い壁が占める割合が大きくて被写体が低輝度の場合の背面表示部５６の表示領域を示す。この場合、背面表示制御部１３３は、画像表示領域の上下方向の幅をｄＲ２、情報表示領域３１０の上下方向の幅をｄｒ２に設定する。背面表示制御部１３３は、情報オブジェクト３１１の下端から背面表示部５６の表示領域の下端までの距離をｄ１３に維持する。第２表示制御処理において、情報表示領域３１０における情報オブジェクト３１１の図９（ｃ）に示す位置を近傍位置と称する。
【００８９】
図９（ｃ）に示すように、情報オブジェクト３１１の上端は、画像表示領域３００の下端から下方向へ距離ｄ１２離れて配置され、かつ情報オブジェクト３１１の左端は、ファインダ視野の左端から右方向へ距離Ｄ１０離れて配置される。距離ｄ１２は、距離ｄ１０より小さい値である。このように、背面表示制御部１３３は、情報表示領域３１０を小さくし、かつ画像表示領域３００を大きくして情報オブジェクト３１１の位置を画像表示領域３００に近づける。なお、背面表示制御部１３３は、画像表示領域３００の上端部に黒色の領域を表示して、画像表示領域３００に表示されるライブビュー画像の視野率を１００％に維持してもよい。
【００９０】
図４（ｃ）の場面における第１実施形態の表示制御処理と同様に、背面表示制御部１３３は、画像表示領域３００が区分された複数の区分領域のうちの特定の区分領域における画像の輝度を対象として表示制御を実行してもよい。例えば、背面表示制御部１３３は、隣接区分領域におけるライブビュー画像が低輝度の場合に、情報表示領域３１０を小さくし、かつ画像表示領域３００を大きくして情報オブジェクト３１１の位置を画像表示領域３００に近づける。
【００９１】
第２実施形態における第２表示制御処理によれば、第１実施形態と同様に、ユーザは、画像表示領域３００の全体若しくは一部が眩しくても、情報オブジェクト３１１が示す情報を視認することができる。一方、画像が低輝度の場合には、ユーザは、視線の大きな移動を伴うことなく、ほぼ同一の視野の内に画像表示領域３００の被写体および情報表示領域３１０の情報オブジェクト３１１が示す情報の双方を容易に確認できる。
【００９２】
第２実施形態における第１表示制御処理および第２表示制御処理のフローは、図５を用いて説明した第１実施形態における表示制御処理のフローと同様である。なお、ステップＳ１０３において、画像処理部５４は、上述したようにライブビュー画像の輝度を取得し、輝度データをカメラシステム制御部５５へ出力する。そして、ステップＳ１０４〜Ｓ１０７において、カメラシステム制御部５５は、画像処理部５４から出力された輝度データを用いて処理を実行する。
【００９３】
第２実施形態において、背面表示制御部１３３は、ライブビュー画像が高輝度の場合と低輝度の場合とで第１表示制御処理と第２表示制御処理とを切り替えてもよい。例えば、背面表示制御部１３３は、ライブビュー画像が高輝度の場合に第１表示制御処理を実行し、ライブビュー画像が低輝度の場合に第２表示制御処理を実行する。また、背面表示制御部１３３は、第１表示制御処理と第２表示制御処理とを組み合わせて実行してもよい。例えば、背面表示制御部１３３は、ライブビュー画像の輝度が高輝度の場合に、情報表示領域３１０を大きくし、かつ情報オブジェクト３１１情報オブジェクト３１１の位置を情報表示領域３１０の下部に配置する。
【００９４】
第２実施形態では、背面表示制御部１３３は、ライブビュー画像全体の輝度および隣接区分領域におけるライブビュー画像の輝度を用いて背面表示部５６の表示を制御したが、これに限らない。背面表示制御部１３３は、ライブビュー画像全体の輝度および隣接区分領域におけるライブビュー画像の輝度のいずれか一方を用いて背面表示部５６の表示を制御してもよい。また、背面表示制御部１３３は、画像表示領域３００を区分した複数の区分領域のうちの隣接区分領域を含む２以上の区分領域を用いて背面表示部５６の表示を制御してもよい。
【００９５】
第２実施形態において、背面表示制御部１３３は、図６（ａ）を用いて説明した第１実施形態における第１変形例と同様に、ライブビュー画像の輝度に応じて、情報表示領域３１０における情報オブジェクト３１１の表示サイズを変更してもよい。また、背面表示制御部１３３は、図６（ｂ）を用いて説明した第１実施形態における第２変形例と同様に、ライブビュー画像の輝度に応じて、情報表示領域３１０における情報オブジェクト３１１の左右方向の位置を変更してもよい。また、背面表示制御部１３３は、図７を用いて説明した第１実施形態における第３変形例と同様に、第３視野領域２２０に対応する第２情報領域を設け、ライブビュー画像の輝度に応じて、情報表示領域３１０の表示内容と第２情報表示領域の表示内容とを入れ替えてもよい。
【００９６】
第２実施形態では、ライブビュー画像を表示して電子ビューファインダとして機能する背面表示部５６が用いられたが、上述のファインダユニット４０の位置に配置されてユーザが覗き込む電子ビューファインダユニットに対しても第２実施形態に係る概念を適用することができる。具体的には、電子ビューファインダユニットの表示制御部は、電子ビューファインダユニットの液晶モニタ等の表示部の表示領域を、ライブビュー画像を表示する画像表示領域と、画像表示領域と隣接して情報を表示する情報表示領域とで構成する。そして、電子ビューファインダユニットの表示制御部は、電子ビューファインダユニットの表示部を制御して、上述した第２実施形態の表示制御処理を実行する。
【００９７】
第２実施形態では、背面表示部５６の画像表示領域３００に表示される画像としてライブビュー画像が用いられたが、再生画像に対しても第２実施形態に係る概念を適用することができる。具体的には、背面表示制御部１３３は、背面表示部５６を制御して、背面表示部５６の画像表示領域３００に再生画像を表示するとともに、情報表示領域３１０に再生画像のファイル名、撮影日時等の再生に関する各種情報を示す情報オブジェクトを表示する。画像処理部５４は、再生画像の表示が切り替わる度に、再生画像の輝度を取得する。背面表示制御部１３３は、再生画像の輝度に応じて、上述した第２実施形態の表示制御処理を実行する。
【００９８】
上述の実施形態において、情報オブジェクトは、標準位置、遠方位置および近傍位置の３つの位置に移動可能に構成されたが、情報オブジェクトが移動可能な位置は３つに限らない。例えば、遠方位置と近傍位置の２つが採用されてもよい。また、４つ以上の位置が採用されてもよい。
【００９９】
上述の実施形態において、情報オブジェクトが示す情報として、シャッタ速度、絞り値、ＩＳＯ感度および露出補正値が用いられたが、これに限らない。撮影モード、フォーカスエリア表示、合焦したか否かを示すピント表示、二次電池５７の残容量等の撮影に関する各種情報を示す情報オブジェクトが用いられてもよい。
【０１００】
上述の実施形態において、ファインダユニット４０は、カメラ本体３０と一体に構成されているが、カメラ本体３０から着脱可能な構成であってもよい。なお、ファインダユニット４０をカメラ本体３０から着脱可能な構成とした場合、ファインダユニット４０の構成要素の一部をカメラ本体３０に設けてもよい。例えば、ピント板４１および透過型表示部４２がカメラ本体３０に設けられる。
【０１０１】
上述の実施形態において、レンズユニット２０とカメラ本体３０とが組み合わされたカメラ１０を撮像装置として捉えてもよく、また、カメラ本体３０を撮像装置として捉えてもよい。上述の実施形態において、撮像装置としてレンズ交換式カメラを例に説明したが、レンズ光学系が一体的に構成されたレンズ一体型カメラに対しても本実施形態に係る概念を適用することができる。
【０１０２】
以上、本発明を実施の形態を用いて説明したが、本発明の技術的範囲は上記の実施形態に記載の範囲には限定されない。上記の実施形態に、多様な変更または改良を加えることが可能であることが当業者に明らかである。その様な変更または改良を加えた形態も本発明の技術的範囲に含まれ得ることが、特許請求の範囲の記載から明らかである。
【０１０３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０４】
１０  カメラ、２０  レンズユニット、２１  レンズ群、２２  レンズマウント、３０  カメラ本体、３１  カメラマウント、３２  メインミラー、３３  サブミラー、３４  ＡＦ光学系、３５  ＡＦセンサ、４０  ファインダユニット、４１  ピント板、４２  透過型表示部、４３  情報表示部、４４  三角プリズム、４５  ペンタプリズム、４６  接眼光学系、４７  ファインダ窓、４８  測光センサ、５１  フォーカルプレーンシャッタ、５２  撮像素子、５３  メイン基板、５４  画像処理部、５５  カメラシステム制御部、５６  背面表示部、５７  二次電池、１２０  レンズシステム制御部、１２１  レンズメモリ、１２２  モータ駆動回路、１３１  カメラメモリ、１３２  ワークメモリ、１３３  背面表示制御部、１３４  ファインダ表示制御部、１３５  操作検知部、２００  第１視野領域、２０１  焦点検出領域、２０２  下側区分領域、２０３  左下側区分領域、２１０  第２視野領域、２１１  情報オブジェクト、２２０  第３視野領域、２２１  情報オブジェクト、３００  画像表示領域、３０１  焦点検出領域、３１０  情報表示領域、３１１  情報オブジェクト
【図１】
2013257372.tif 000003
【図２】
2013257372.tif 000004
【図３】
2013257372.tif 000005
【図４】
2013257372.tif 000006
【図５】
2013257372.tif 000007
【図６】
2013257372.tif 000008
【図７】
2013257372.tif 000009
【図８】
2013257372.tif 000010
【図９】
2013257372.tif 000011